(57)【要約】電流フィルタに付随する不要な周波数高調波を除去するフィルタ及びその製造方法。前記フィルタは、設計周波数を共振するように複数の共振器から構成される。これにより、少なくとも二つの共振器は、入力と出力との間で互いに結合され、そして前記複数の共振器の少なくとも１つは他の共振器と異なる構成とされて、その異なる構成の共振器は、その他の共振器と同じ前記設計周波数を共振するとともに、その他の共振器と異なるより高次の高調波周波数を共振する。本発明は、また、フィルタのスカートレスポンスならびにそのフィルタのその他のレスポンス特性を改善する方法も提供する。
2004519913.tif 000002
【特許請求の範囲】
【請求項１】
設計周波数を共振するように、複数の共振器から構成される誘電体フィルタであって、該フィルタは以下：
＃２共振器に結合された＃１共振器と、前記＃１共振器に結合された＃３共振器とを有する三共振器構成であって、前記＃３は、更に、だ円結合によって前記＃２共振器にも結合され、前記＃１、＃２及び＃３共振器のいずれか１つと、
前記＃１共振器に接続された第１電気コネクタと、
前記＃３共振器に接続された第２電気コネクタと、
前記＃１共振器に結合された帯域阻止共振器とを有し、
ここで、前記第１及び第２電気コネクタ間の前記共振器の少なくとも１つは、他の前記共振器と異なる構成であり、これにより、異なる構成の前記共振器は、前記他の共振器と同じ設計周波数を共振するとともに、前記他の共振器と異なる高次高調波周波数を共振する誘電体フィルタ。
【請求項２】
請求項１の誘電体フィルタであって、前記＃１及び＃３共振器の前記結合は、前記＃１と＃２との間の前記結合、及び＃２と＃３との間の前記結合と比較して弱い結合である誘電体フィルタ。
【請求項３】
請求項２の誘電体フィルタであって、前記弱結合は、誘導結合溝である誘電体フィルタ。
【請求項４】
請求項１の誘電体フィルタであって、前記三共振器構成の前記共振器の少なくとも１つは、他の前記共振器と異なる構成である誘電体フィルタ。
【請求項５】
請求項１の誘電体フィルタであって、前記＃２共振器は、前記＃１及び＃３共振器に比して、向きが反転されている誘電体フィルタ。
【請求項６】
請求項１の誘電体フィルタであって、前記＃２共振器は、前記フィルタの上面及び底面に電極結合を使用することによって電気的に向きが反転されている誘電体フィルタ。
【請求項７】
請求項６の誘電体フィルタであって、前記フィルタは、誘電体材料のシングルブロックから形成され、上部、底部及び側部を有し、前記側部は、グランドとして作用する電極コーティングによってカバーされるとともに相互接続され、前記共振器のそれぞれは、各共振器間の電極結合を可能にする結合電極を有し、前記＃１共振器は、電気接続用の電極を有し、前記＃３共振器は、電気接続用の電極を有する誘電体フィルタ。
【請求項８】
請求項６の誘電体フィルタであって、前記フィルタは、誘電体材料のシングルブロックから形成され、上部、底部及び側部を有し、前記側部は、グランドとして作用する電極コーティングによってカバーされるとともに相互接続され、前記共振器のそれぞれは、各共振器間の電極結合を可能にする結合電極を有し、前記＃１共振器は、電気接続用の電極を有し、前記＃３共振器は、電気接続用の電極を有し、そして、前記電気接続用電極の配置、結合電極、グランド、電極コーティングによって、前記＃２共振器の向きの電子的反転が行われる誘電体フィルタ。
【請求項９】
請求項１の誘電体フィルタであって、前記帯域阻止共振器と前記＃１共振器との間に結合された少なくとも１つの追加の共振器が設けられ、前記第１電気コネクタの接続は移動されて、前記帯域阻止共振器に直接結合された前記少なくとも１つの追加の共振器に接続される誘電体フィルタ。
【請求項１０】
請求項１の誘電体フィルタであって、前記帯域阻止共振器と前記＃１共振器との間に結合された少なくとも二つの追加の共振器が設けられ、前記第１電気コネクタの接続は移動されて、前記帯域阻止共振器に直接結合された前記少なくとも二つの追加の共振器の一つの共振器に接続される誘電体フィルタ。
【請求項１１】
デバイス用の送受切り換え器誘電体フィルタであって、以下：
前記フィルタを介してデバイスへの入力及び出力として作用する、前記フィルタ用のアンテナ接続と、
前記デバイスから前記フィルタへの接続として作用する出力接続と、
前記デバイスから前記フィルタへの接続として作用する入力接続と、
前記入力及びアンテナ接続間で互いに結合された第１三共振器構成セットであって、この第１共振器構成セットは、＃２共振器に結合された＃１共振器と、前記＃１共振器に結合された＃３共振器とを有し、前記＃３共振器はだ円結合によって前記＃２共振器にも結合され、前記第１三共振器構成セットは、前記＃１共振器に結合された帯域阻止共振器を有し、前記入力及びアンテナ接続間の前記共振器のうちの少なくとも１つは、前記他の共振器と異なる構成であり、これにより、この異なる構成の前記共振器は、前記他の共振器と同じ設計周波数を共振するとともに、これら他の共振器と異なる高次高調波周波数を共振する第１三共振器構成セットと、
前記入力及びアンテナ接続間で互いに結合された第２三共振器構成セットであって、この第２共振器構成セットは、＃２共振器に結合された＃１共振器と、前記＃１共振器に結合された＃３共振器とを有し、前記＃３共振器はだ円結合によって前記＃２共振器にも結合され、前記第１三共振器構成セットは、前記＃１共振器に結合された帯域阻止共振器を有し、前記入力及びアンテナ接続間の前記共振器のうちの少なくとも１つは、前記他の共振器と異なる構成であり、これにより、この異なる構成の前記共振器は、前記他の共振器と同じ設計周波数を共振するとともに、これら他の共振器と異なる高次高調波周波数を共振する第２三共振器構成セットとを有する送受切り換え器誘電体フィルタ。
【請求項１２】
請求項１１の送受切り換え器誘電体フィルタであって、前記第１及び第２三共振器構成セットの前記＃１及び＃３共振器の前記結合は、＃１と＃２、及び共振器＃２と＃３との間の前記結合と比較して弱い結合である送受切り換え器誘電体フィルタ。
【請求項１３】
請求項１２の送受切り換え器誘電体フィルタであって、前記第１及び第２三共振器構成セットの前記弱結合は、誘導結合溝である送受切り換え器誘電体フィルタ。
【請求項１４】
請求項１１の送受切り換え器誘電体フィルタであって、前記第１及び第２三共振器構成セットの前記＃２共振器は、前記＃１及び＃３共振器と異なる構成である送受切り換え器誘電体フィルタ。
【請求項１５】
請求項１１の送受切り換え器誘電体フィルタであって、前記第１及び第２三共振器構成セットの前記＃２共振器は、前記＃１及び＃３共振器に対して向きが反転されている送受切り換え器誘電体フィルタ。
【請求項１６】
請求項１１の送受切り換え器誘電体フィルタであって、前記第１及び第２三共振器構成セットの前記＃２共振器は、前記フィルタの上面及び底面に電極結合を使用することによって電気的に向きが反転されている送受切り換え器誘電体フィルタ。
【請求項１７】
請求項１６の送受切り換え器誘電体フィルタであって、前記フィルタは、誘電体材料のシングルブロックから形成され、上部、底部及び側部を有し、前記側部は、グランドとして作用する電極コーティングによってカバーされるとともに相互接続され、前記第１及び第２三共振器構成セットの前記共振器のそれぞれは、各電極間の電極結合を可能にする結合電極を有し、前記＃１共振器は、電気接続用の電極を有し、前記＃３共振器は、電気接続用の電極を有する送受切り換え器誘電体フィルタ。
【請求項１８】
請求項１６の送受切り換え器誘電体フィルタであって、前記フィルタは、誘電体材料のシングルブロックから形成され、上部、底部及び側部を有し、前記側部は、グランドとして作用する電極コーティングによってカバーされるとともに相互接続され、前記第１及び第２三共振器構成セットの前記共振器のそれぞれは、各共振器間の電極結合を可能にする結合電極を有し、前記＃１共振器は、電気接続用の電極を有し、前記＃３共振器は、電気接続用の電極を有し、そして、前記電気接続用電極の配置、結合電極、グランド電極コーティングによって、前記第１及び第２三共振器構成セットの前記＃２共振器の向きの電子的反転が行われる送受切り換え器誘電体フィルタ。
【請求項１９】
請求項１１の送受切り換え器誘電体フィルタであって、前記第１及び第２三共振器構成セットの前記帯域阻止共振器と前記＃１共振器との間に結合された少なくとも１つの追加の共振器が設けられ、前記入力接続は、前記第１三共振器構成セットの前記帯域阻止共振器に直接接続された前記少なくとも１つの追加の共振器に接続され、前記出力接続は移動されて、前記第２三共振器構成セットの前記帯域阻止共振器に直接結合された前記少なくとも１つの追加の共振器に接続される送受切り換え器誘電体フィルタ。
【請求項２０】
請求項１１の送受切り換え器誘電体フィルタであって、前記第１及び第２三共振器構成セットの前記帯域阻止共振器と前記＃１共振器との間に結合された少なくとも二つの追加の共振器が設けられ、前記入力接続は、前記第１三共振器構成セットの前記帯域阻止共振器に直接接続された前記少なくとも二つの追加の共振器の一つの共振器に接続され、前記出力接続は移動されて、前記第２三共振器構成セットの前記帯域阻止共振器に直接結合された前記少なくとも二つの追加の共振器の一つの共振器に接続される送受切り換え器誘電体フィルタ。
【発明の詳細な説明】
【０００１】
背景
マイクロ波通信装置等の移動／携帯無線送受信装置用のフィルタを構成するために二個以上の同軸誘電体セラミック共振器を結合させて使用することが知られている。同様に、二個以上の半同軸（ｒｅ−ｅｎｔｒａｎｔ）誘電体セラミック共振器をともに結合させることによってもそのようなフィルタを構成することができる。フィルタの共振器は、１つの周波数のみを共振するように構成されており、この周波数はその共振器の共振周波数として知られている。図１は、互いに結合させた三個の四分の一波長同軸誘電体セラミック共振器を使用した三極フィルタの一例を図示している。図１に図示されている結合方法は、共振器間に開口部又はＩＲＩＳを設けることによって共振器を結合させる公知の技術である。ＩＲＩＳは、共振周波数の電界及び磁界が１つの共振器から別の共振器へ通過することを許容する共振器間の通路である。フィルタは入力と出力とを有する。入力は、通常、アンテナから信号発生器への無線周波数信号である。フィルタは、それら共振器の共振周波数と、その高調波のみがフィルタを通って出力へ通過することを許容する。使用される共振器の数によって、バンド幅、挿入ロス、スカートレスポンス、及びスプリアス周波数レスポンス等の通過信号の特性が決まる。このようなフィルタの欠点は、その共振器が、設計周波数の第１高調波のみならず、その周波数のその他の関連するより高次の高調波もフィルタを通過させてしまうことにある。これらの高次高調波は、他の電子デバイスに干渉することが知られている。
【０００２】
本発明の課題は、設計周波数のより高次の高調波の通過を防止するフィルタを提供することにある。
【０００３】
本発明の別の課題は、共振器を結合する方法を提供することにある。
【０００４】
発明の要旨
本発明は、電流フィルタに付随する不要な周波数高調波を除去するフィルタと、そのフィルタを製造する方法とに関する。前記フィルタは、設計周波数を共振するように複数の共振器から構成される。これにより、少なくとも二つの共振器は、入力と出力との間で互いに結合され、そして前記複数の共振器の少なくとも１つは他の共振器と異なる構成とされて、その異なる構成の共振器は、その他の共振器と同じ前記設計周波数を共振するとともに、その他の共振器と異なるより高次の高調波周波数を共振する。本発明は、又、フィルタのスカートレスポンスおよびそのフィルタのその他のレスポンス特性を改善する方法も提供する。フィルタ特性を改善する一つの方法は、フィルタ中の共振器の内の少なくとも１つを、その他の共振器に比してその向きを反転させる方法である。もう１つの方法は、フィルタの上面及び底面上に電極を接続することによって、共振器の内の少なくとも１つを、電気的に反転させる方法である。
【０００５】
発明の詳細な説明
本発明は、従来の電流フィルタに付随する不要な周波数高調波を除去するフィルタと、そのフィルタの製造方法とに関する。本発明は、フィルタのスカートレスポンス、及び、フィルタのその他のレスポンス特性を改善する方法を提供する。本発明は、又、共振器の結合方法にも関する。同軸誘電体セラミック共振器は、図１に示す等式に基づく周波数を共振するように構成されている。図２は、誘電体セラミック共振器のその他の三種類の構成例をそれらの対応する共振器周波数設計等式と共に図示している。図２の共振器は、時に、半同軸誘電体セラミック共振器と呼ばれる。図３は、同じ共振周波数用に設計された同軸誘電体セラミック共振器と半同軸誘電体セラミック共振器とのプロットである。図３から理解されるように、これら同軸及び半同軸共振器の高次の高調波周波数は異なる。特定の設計の共振器は、その共振器に関連する設計周波数と、高次高調波周波数とのみが、フィルタ内の次の共振器へと通過することを許容する。図３のプロットに図示されているように前記高次高調波周波数は同じではないので、同軸誘電体セラミック共振器の高調波周波数は、同じ共振周波数用に設計された半同軸誘電体セラミック共振器を通過しない。更に、半同軸誘電体セラミック共振器の高次高調波周波数は、同じ共振周波数用に設計された同軸誘電体セラミック共振器を通過しないことも同様に事実である。半同軸誘電体セラミック共振器の高次高調波周波数は、同じ共振周波数用に設計された同軸誘電体セラミック共振器を通過しない。更に、半同軸誘電体セラミック共振器の高次高調波周波数は、異なる共振周波数設計等式を有するが、同じ共振周波数用に設計された別の半同軸誘電体セラミック共振器を通過しない。従って、所望の周波数の同じ第１高調波を共振するタイプの異なる誘電体セラミック共振器からフィルタを構成することによって、その所望の周波数の前記第１高調波のみを出力するフィルタが提供される。
【０００６】
以下は、上記開示を利用した種々のフィルタ構成の具体例である。これらの例はすべて、それら両共振器は同じ第１高調波周波数を共振するように、図１に図示されている同軸誘電体セラミック共振器と、図２に図示されている半同軸誘電体セラミック共振器とを使用する。これらの例は、フィルタの同軸及び半同軸共振器を概略図示するものであって、共振器又はフィルタの特定の具体例ではない。図示されている例は、それらがすべて、同じ第１高調波周波数を共振する限り、同軸及び半同軸共振器のその他の組み合わせと交換可能である。例として図示されているフィルタ構成は、フィルタとして作用する個々のフィルタ、又は、フィルタとして作用するべくシングルブロックの材料のから形成される複数の共振器、の組み合わせから構成することができる。図４は、１つの同軸共振器の側面に位置する二つの半同軸共振器を有する三極フィルタを図示している。尚、半同軸共振器と入力及び出力電極との間には電極結合が使用され、これに対して、図１は、同軸共振器の入力及び出力の電気プローブを図示していることが銘記される。これは、フィルタの回路基板への表面実装を単純にする。図５は、四極構成を図示している。図６は、フィルタのスカートレスポンスを改善するために二つの同軸共振器により側面に位置された図４の三極構成を図示している。スカートレスポンスを改善するためのフィルタの両端部に付加される共振器は、帯域阻止共振器と称される。図７は、そのフィルタが接続されるデバイスからの出力用にアンテナへと延出する送信側と、その同じデバイスへの入力用に前記アンテナへと延出する受信側とを有する送受切り換え器（ｄｕｐｌｅｘｅｒ）フィルタを図示している。図７において、前記アンテナは、フィルタの二つの共振器に接続された一つの電極を有する。図８−１２は、他のアンテナ接続方法を図示している。図８は、１つの共振器に接続された１つの電極を有するアンテナを図示している。図９は、１つのアンテナから出た二つの電極を示し、これら電極のそれぞれが１つの共振器に接続されている。図１０は、二つの共振器間に接続された一つの電極を有するアンテナを図示し、この電極は、新規な方法で二つの他の電極に接続され、これによって、これらの電極は互いに１つの共振器に接続されている。図１１は、図１０の拡大図である。図１２は、二つの電極に接続された大きな電極を有するアンテナを図示している。
【０００７】
図１３−６４は、図１０のアンテナ接続法に類似する、共振器の接続法を図示している。図１３−６４においては、電極結合が使用され、これにより、電界と磁界とは、ＩＲＩＳ通路を介してではなく、共振器の誘電体材料を介して、電極から電極へとジャンプしている。これによって、フィルタを、セラミック又はその他の材料のモノリシックな１つのブロックから形成することが可能となる。図１３−１４は、異なるアンテナ接続構成の、送受切り換え器フィルタを図示している。図１５は、スカートレスポンスを改善するために帯域阻止共振器を備えた送受切り換え器（ｄｕｐｌｅｘｅｒ）を図示している。図１６−１７は、図１３−１５の方法の、モノリシックシングルセラミックブロックから構成する（但し、半同軸共振器と同軸共振器との両方を備える）フィルタを構成するための適用の断面図及び底面図である。ここで、同軸共振器の電極は、他の電極、すなわち、半同軸共振器の電極に共通する誘電体材料に取り付けられている。これにより、電界及び磁界は、１つの電極から他の電極へとジャンプする。図１８−１９は、スカートレスポンスを改善するための追加の共振器を備えた、図１６−１７のバージョンを図示している。図２０−２５は、すべての電極がモノリシックシングルセラミックブロックの上面に取り付けられた半同軸共振器の使用法を図示している。図２６−４４は、半同軸共振器のモノリシックシングルセラミックブロックの上方電極と下方電極との両方の組み合わせを図示している。図４５−４８は、それぞれ、フィルタのスカートレスポンスを改善するために二つの同軸共振器により側部に位置された図２７の三極構成の、平面図、底面図、及び三次元図である。図４９−６４は、上方及び下方電極を備える半同軸共振器と同軸共振器の組み合わせを有するモノリシックシングルセラミックブロックを図示している。
【０００８】
以下に、異なる共振器タイプを使用し、共振器の向きを反転させることによってフィルタのスプリアス周波数レスポンスを改善する方法を記載する。図６５は、ベースラインレスポンスとして使用する三極バンドパスフィルタＡＡＡを図示している。このＡＡＡフィルタは、市販の誘電体フィルタから形成された。ここで、ＡＡＡフィルタにおいて三個全部の”Ａ”共振器、＃１，＃２，＃３は同じ向きとされていることが銘記される。三個の”Ａ”共振器は、図６６の帯域通過レスポンスを作り出すべく選択され、調節された。このＡＡＡフィルタのスプリアス周波数レスポンスが図６７に図示されている。ＡＡＡフィルタの前記三つの共振器＃１，＃２，＃３、のそれぞれの周波数レスポンスが、図６８−７０に図示されている。それぞれ約１．５ＧＨｚ、及び４．５ＧＨｚの第１及び第３高調波があることが銘記される。前記スプリアス周波数レスポンスの第１共振ピークを超える残り部分は、周知のように、ＴＥモードなどの、同軸共振器における高次モードに依るものである。高次モードは、共振器のカットオフ周波数より上においてのみ存在し得る。テスト目的のために、カットオフ周波数は、１．９ＧＨｚに等しくなるように選択された。それにより、スプリアス周波数レスポンスの１．９ＧＨｚを超える大部分は、バンドパスフィルタにとって不要である、前記高次モードとして説明することができる。図６７は、ベースラインデータであり、異なる共振器タイプと反転共振器向き法とを使用した他のフィルタレスポンスは、図６７に匹敵するものである。又、図７１に図示される周波数レスポンスを有する半同軸共振器も使用された。
【０００９】
前記データにおいて、単一の共振器のＮｅｔｗｏｒｋ  Ａｎａｌｙｚｅｒへの接続により、共振ピークは、反対方向に現れており、これは、サンプルホルダを形成する簡便な方法である。バンドパスフィルタＡＢＡは、図７２に図示されているように、図６６の中央の共振器＃２を、図７１に図示される周波数レスポンスを有する半同軸共振器に置き換えることによって作られた。このＡＢＡフィルタの周波数レスポンスを、図６７のベースラインデータに重ね合わせた状態で図７３に図示する。中央の同軸共振器を、半同軸共振器によって置き換えることにより、第１共振ピーク近くに於ける主フィルタ特性に悪影響を与えることなく、広範囲の高周波にわたってスプリアス周波数レスポンスが改善された。
【００１０】
誘電体フィルタのスプリアス周波数レスポンスを低減するために共振器を混合する方法に加えて、共振器の向きを反転させる新規な結合方法によってもフィルタ特性が改善される。共振器の向きは、電極コーティングを有さない共振器の上部によって規定される。図７４−７５は、それぞれ、図６５及び７２に図示されるような、前記ＡＡＡ及びＡＢＡフィルタの中央の共振器をひっくり返すという、この新規な結合方法を図示している。図６５及び図７２から明らかなように、共振器は電極を上方に向けることなく、すべての上部とともに向けられる。図７４は、フィルタＡ［Ａ］Ａを図示し、図７５は、フィルタＡ［Ｂ］Ａを図示し、これによって、これら各フィルタの中央の共振器は、その上部を下に向けた状態で配置されている。同じＩＲＩＳ結合が、ＡＡＡ，ＡＢＡ，Ａ［Ａ］Ａ，Ａ［Ｂ］Ａフィルタの全部に使用されている。前記Ａ［Ａ］Ａフィルタのフィルタ特性が、ＡＡＡフィルタのフィルタレスポンスの特性と重ね合わされた状態で図７６に図示されている。前記Ａ［Ｂ］Ａフィルタのフィルタ特性が、ＡＡＡフィルタレスポンスのフィルタ特性と重ね合わされた状態で図７７に図示されている。図７６−７７から理解されるように、第１共振ピークにおいて約１．５ＧＨｚの主フィルタ特性に影響を与えることなく周波数レスポンスが改善されている。これらの改善は、フィルタの外側の共振器の磁界に比して反対向きの磁界を有する中央の共振器によるものと考えられる。図７４−７５のフィルタは、モノブロック材料から形成することができる。フィルタ内の共振器の向きを反転させる方法は、四極、五極、ｎまでの極などの任意の数の極を有するフィルタにも適用可能である。
【００１１】
共振器の向きを反転させる別の方法は、電極結合を使用する場合、共振器の向きを電子的に反転させるように電極を配置する方法である。図７８及び８３は、それぞれ、電極結合を使用する、シングルブロック材から形成された三極フィルタ１０と四極フィルタ１２との概略を図示している。図７８及び８３において、同軸タイプの共振器が例として使用されているが、その他の共振器タイプ、及び複数の共振器タイプの組み合わせも使用可能である。図７９、８０、８１及び８２は、それぞれ、図７８の、平面、底面及び三次元図である。図８４、８５、８６、８７は、それぞれ、図８３の平面図、底面図、三次元図である。大半のフィルタの場合、両フィルタ１０、１２において、グランドのように作用する、外側電極コーティング１４が設けられる。各フィルタ１０，１２の平面図は、各共振器間の電極結合を提供する、結合電極１６を示している。各フィルタ１０，１２の底面図は、入力／出力電極１８と、結合電極２０とグランド電極２２とを図示している。グランド電極２２は、反転される１つ又は複数の共振器の底をカバーしている。前記入力／出力電極１８と結合電極２０とは、フィルタの入力／出力と、結合電極２０が取り付けられる共振器との間の結合を提供する。図７８−８７に図示されているように、信号の入力と出力とを受ける共振器間の共振器のグランドによって、そのフィルタを通過する信号共振の電界の向きが変化する。この電界の向きの変化は、上述したような、フィルタの共振器の向きを反転させることに類似している。電極の配置を利用した共振器の反転を使用する他の例として、図８８−９１及び９２−９５は、それぞれ、二つの帯域阻止共振器を備えた四極フィルタと、六極送受切り換え器フィルタとを示している。図４９−６４は、上部及び底部電極を備える半同軸共振器と同軸共振器との組み合わせを有するモノリシックシングルセラミックブロックを図示している。図４９のバンドパスフィルタと、図５７−６１の送受切り換え器フィルタも、図７８−９５に図示した全部が同軸タイプの共振器から成るフィルタに類似の、結合電極配置による向きが反転された共振器を含んでいる。
【００１２】
本発明の別実施例は、共通のフィルタの追加の帯域阻止共振器無しで、遷移帯域においてシャープなカットオフ特性を有するアドバンスト誘電体フィルタに関する。このアドバンスト誘電体フィルタも、本発明の別実施例において上述した共振器構成及び結合方法により、改善されたスプリアス周波数レスポンスを有する。前記遷移帯域は、各端部に帯域阻止共振器を備える誘電体フィルタの、バンドパスの終わりと、帯域阻止の始めとの間に存在することが知られている。上述したように、スカート周波数レスポンス（すなわち、誘電体フィルタの遷移帯域に於けるシャープなカットオフ周波数）を改善するために、追加の共振器が使用される。図９６は、Ｔｘ及びＲｘのバンドパスのそれぞれの片側のみが、送受切り換え器フィルタにおける共振器の構成によって改善されたスカート周波数レスポンスを有するプロットを示している。図９６にプロットされているようなレスポンスを有するフィルタの場合、通常、フィルタの両方の遷移帯域に対してシャープなカットオフ周波数レスポンスを得るためには二つのバンドパスフィルタが必要である。本発明のアドバンスト誘電体フィルタは、帯域阻止機能を実行するために追加の共振器の必要性を無くするものである。
【００１３】
だ円関数フィルタが、遷移帯域において高率のカットオフレスポンスを示すことは周知である。だ円関数フィルタのこの理論を利用して、アドバンスト誘電体フィルタを構築する実用的な方法は、図９７に図示されているように、入力及び出力共振器間に負結合、”−ｋ（ｉ．ｊ）”、を導入することである。図９７は、四極フィルタの概略図であり、図９８は、正結合共振器（図９８ａ）と負結合共振器（図９８ｂ）との比較を示している。前記だ円関数フィルタ理論が働く必要条件の１つは、入力及び出力共振器の結合を許容するために誘電体フィルタの共振器の結合及び配置の新規な方法を導入することである。だ円関数フィルタ理論の別の必要条件は、入力共振器と出力共振器との間に負結合を設けることである。
【００１４】
図９９は、前記アドバンスト誘電体フィルタの四極バージョンを図示し、ここで、入力共振器＃１と出力共振器＃４とは、並置されるとともに、互いに結合されている。入力共振器と出力共振器との結合は、通常、フィルタのその他の共振器間の結合と比較して弱い結合を必要とする。図９９は、それらの間の必要な負結合のために互いに逆向きに配置された＃１及び＃４共振器を図示している。図９９に図示されているようにフィルタを構成することによって、前記だ円関数フィルタ理論”−ｋ（１，４）”が得られるのみならず、本発明の別実施例において記載したように、不要な高次モードの高調波も抑制することが可能である。図１００は、＃２共振器が、フィルタのスプリアス周波数レスポンスを更に改善するために半同軸タイプである、図９９のフィルタを図示している。図９９のフィルタと図１１０のフィルタとの両方が、ＩＲＩＳ結合を使用し、これにより、＃１及び＃４共振器間のより弱い結合が、より小さなＩＲＩＳ開口を使用することによって達成可能である。図１０１は、図９９に図示したフィルタの特性を図示しており、ここで、通過帯域の両側に於ける高率のカットオフ減衰が明瞭に図示されている。
【００１５】
図９９−１００の四極フィルタは、図１０２−１０３においてモノブロック形状のフィルタとして図示されている。図１０２は、すべてが同軸共振器であるフィルタを図示し、図１０３のフィルタは、＃２共振器として半同軸タイプの使用を含んでいる。図１０２−１０３の共振器間の結合は、本発明の別実施例において上述したように、導電電極によって達成される。これにより、＃１及び＃４共振器間の弱結合は、フィルタのその他の共振器を結合している電極間の距離と比較して、これら＃１共振器と＃４共振器との電極間の距離を増大させることによって達成することができる。＃１共振器に比する＃４共振器の反転は、出力の反対側に入力を向けること（図１０２）、あるいは、本発明の別実施例において上述した電極結合方法を使用すること（図１０３）によって達成することができる。図１０４ａ−ｂ及び１０５ａ−ｂは、誘導結合溝を使用することによって＃１及び＃４共振器間に必要な弱結合を提供する別の方法を図示している。この誘導結合溝は、二つの結合された共振器間の小さな溝である。この誘導結合溝は、＃１及び＃４共振器のどの箇所にでも、たとえば、その上部、下部、又はその側面など、に配置することが可能であるので、極めて有用であり得る。
【００１６】
図１０１は、図９９−１００及び１０２−１０３に図示されているタイプのフィルタの通過帯域の両側において高いカットオフ減衰率を示している。しかしながら、ある種の用途においては、図１０６に図示されているように、片側の急勾配のカットオフ減衰率だけを示すバンドパスフィルタを得ることが望ましい場合もある。図１０６のフィルタ特性は、図１０７（ａ−ｃ）−１０８（ａ−ｃ）の三極アドバンスト誘電体フィルタによって得ることができる。図１０７−１０８は、ｋ（１，２），ｋ（２，３），ｋ（１，３）のＩＲＩＳ結合によって結合された三つの別々の誘電体フィルタから構成されたアドバンスト誘電体フィルタを図示している。図１０７のフィルタと図１０８のフィルタとの間の主要な相違点は、図１０７においては三つすべての共振器が同じ向きに配置されているのに対して、図１０８では、＃１，＃３共振器に対して、＃２共振器が反対向きに配置されていることにある。本発明のアドバンスト誘電体フィルタに関して銘記されるべき主要な特徴は、奇数の共振器を備えることに付随する特性である。奇数の共振器を有するアドバンスト誘電体フィルタでは、図１０７−１０８の入力＃１共振器と出力＃３共振器との間に負結合を形成するために最後の共振器をひっくり返す必要がない。図１０７ｃ及び１０８ｃに図示されているように、奇数の共振器を有するフィルタにおいては、第１の共振器と最後の共振器との間の磁気結合が自動的に負になる。事実、入力又は出力共振器のいずれかを反転させれば、奇数の共振器を有するすべてのフィルタにおいて、所望の負結合が破壊されてしまう。しかしながら、不要な高次モードの高調波を弱めるために、本発明の別実施例において上述したように、入力共振器と出力共振器との間のいずれのフィルタも、反転させることが可能である。図１０８ａ−ｃは、そのようなケースを図示しており、ここでは、＃２フィルタが反転されている。図１０７のフィルタ特性が図１０９−１１０に図示され、図１０８のフィルタ特性が図１１１−１１２に図示されている。図１０８−１１２に図示されているように、通過帯域の片側での高いカットオフ減衰率が示されていることがはっきりと見える。又、本発明の別実施例において上述したように、特定のレスポンスのために、異なる種類の共振器を組み合わせることも可能である。
【００１７】
モノブロック三極アドバンスト誘電体フィルタが図１１３−１１７に図示されており、ここで、図１１５−１１７は、共振器タイプの異なる組み合わせを示している。又、図１１５−１１７は、僅かに異なる形状の＃２共振器を図示しており、これは、ｋ（１，２）とｋ（２，３）の結合と、フィルタの粉体プレス（ｐｏｗｄｅｒ  ｐｒｅｓｓｉｎｇ）とを改善することができる。共振器間の結合は、図１１３−１１７に図示されているような電極によって行うことが可能である。もちろん、図１０４−１０５に図示されているように、これらのフィルタのために、前記電極結合法の代わりに、前記誘導結合溝を使用した入力及び出力共振器間の誘導結合を使用することができる。
【００１８】
上述したアドバンスト誘電体フィルタを二個使用して、送信Ｔｘ及び受信Ｒｘの送受切り換え器フィルタを構成することができる。図１１８−１２１は、図１０２−１０５の二つの四極アドバンスト誘電体フィルタから構成される送受切り換え器フィルタを図示している。両Ｔｘ及びＲｘバンドパスフィルタの”−ｋ（１，４）”の弱い負結合は、図１１８及び１２１の誘導結合溝を使用して達成されているのに対して、図１１９−１２０では、導電電極が使用されている。アンテナの電極は、同じ平面であるが、図１１８−１１９のＴｘ及びＲｘ電極の他方の側に位置している。これは、負結合を得て、高次モード高調波を抑制するために、Ｔｘ及びＲｘバンドパスフィルタにおいて＃４共振器が反転されているために必要である。Ｔｘ及びＲｘフィルタの二つの＃２共振器間の分離又は絶縁は、それらの間にグランド電極を導入する（図１１８，１２０）か、もしくは、物理的分離（図１１９，１２１）によって行われる。図１１８−１１９の送受切り換え器は、すべてが同軸タイプの共振器から構成されているのに対して、図１２０−１２１は、半同軸タイプの＃１共振器を備える送受切り換え器を図示し、この＃１共振器はＴｘとＲｘとの両方において反転されている。
【００１９】
上述したように、ある種の用途においては、通過帯域の片側の高カットオフ減衰率が望ましいかもしれない。図１２２−１２３は、図１１３−１１４に図示された構成の二つのフィルタから成る送受切り換え器を図示している。アンテナの電極、ＴｘとＲｘが、同じ平面であるのみならず、同じ側に配置されていることが銘記される。これは、これら送受切り換え器が奇数の共振器を有する二つのフィルタから構成されていることによる。図１２２−１２４の共振器の結合は、”−ｋ（１，３）”結合を含む、電極結合法を使用したものが図示されている。もちろん、”−ｋ（１，３）”の弱い負結合のために、誘導溝結合を使用することも可能である。図１２４ａは、図１１５−１１７に図示した構成の二つのフィルタを使用した送受切り換え器の斜視図を示し、図１２４ｂ−ｅは、異なる共振器タイプ及び結合構成を図示している。図１２５ａ−ｅは、本発明の前記アドバンスト誘電体フィルタを使用する上述したすべての送受切り換え器に使用可能な異なるアンテナ、ＴＸ及びＲＸ結合構成を図示している。
【００２０】
奇数の共振器を有するアドバンスト誘電体フィルタは、通過帯域の遷移帯域の片側においてのみシャープなカットオフ周波数レスポンスを示す、と前に説明した。これは、もしも、高率のカットオフ減衰が、通過帯域の遷移帯域の両側で望まれる場合には、そのような奇数のアドバンストフィルタの欠点と見なされうる。奇数アドバンストフィルタの１つの利点は最初の共振器と最後の共振器との間で負結合を得るために、最初の共振器に結合される最後の共振器を反転させることが不要であることにある。もう１つの利点は、奇数アドバンストフィルタは、図１１５、１１６、１１７、１２４に図示されているように、フィルタの粉体プレスと結合とを改善するように構成することが可能であることにある。
【００２１】
バンドパスフィルタの通過帯域の遷移帯域の両側でシャープなカットオフ周波数レスポンスを示す奇数アドバンストフィルタは、奇数アドバンストフィルタの最初の共振器に帯域阻止共振器を結合させることによって可能である。これにより、遷移帯域の両側でシャープなカットオフ減衰率を持ちながら、奇数アドバンストフィルタの利点を備えるフィルタを使用することが可能となる。これは、アドバンスト誘電体フィルタの大量生産と、高歩留まりのために重要な考慮事項となりうる。
【００２２】
図１０７は、奇数アドバンストフィルタの一例としての三極アドバンスト誘電体フィルタを図示している。図１０６は、図１０７のフィルタの典型的な周波数レスポンスを図示している。図１２６は、奇数アドバンストフィルタの最初の共振器に結合された帯域阻止共振器を備える三極奇数アドバンストフィルタの三次元図であり、図１２７はその平面図である。図１２６−１２７に図示されているフィルタは、個々の共振器から構成されている。図１２８は、通過帯域の遷移帯域の両側でシャープなカットオフ特性を示す、図１２６−１２７に図示のフィルタの通過帯域周波数レスポンスを図示している。図１２９は、図１２６−１２７に図示のフィルタの出力スプリアス周波数レスポンスを示している。図１３０は、＃２同軸共振器の向きが反転されている、帯域阻止共振器を備えた三極奇数アドバンストフィルタを図示している。図１３１は、＃２共振器が逆向きの半同軸共振器である、帯域阻止共振器を備えた三極奇数アドバンストフィルタを図示している。図１３２は、図１３０のフィルタの出力スプリアス周波数特性を示している。図１２９と図１３２とを比較すると、図１３０のフィルタは、図１２６−１２７のフィルタに比較して、改善された出力スプリアス周波数レスポンスを示すものであることがわかる。
【００２３】
図１３３−１３５は、追加の帯域阻止共振器を含む三極アドバンスト誘電体フィルタのシングルブロックバージョンの、三次元図、平面図及び底面図である。図１３６−１３７と１３８−１３９とは、１つの帯域阻止共振器とともに、同軸共振器と半同軸共振器との組み合わせから構成されるシングルブロック三極アドバンスト誘電体フィルタの他の例である。図１４０−１４２，１４３，１４４及び１４５は、＃２共振器として改良された形状を有する追加の帯域阻止共振器を備える、シングルブロック三極アドバンスト誘電体フィルタを図示している。図１４０−１４２，１４３，１４４及び１４５に図示された＃２フィルタの改良形状によって、結合と粉体プレス技術との改善が可能となる。
【００２４】
図１４６−１４８は、図１３３−１３５に図示のタイプである二つのバンドパスフィルタからなる、シングルブロック送受切り換え器フィルタの、三次元図、平面図及び底面図である。図１４９−１５２は、図１３６−１３９による二つのバンドパスフィルタからなるシングルブロック送受切り換え器フィルタの、種々の共振器の組み合わせと結合方法との平面図である。図１５３−１５５は、図１４０−１４２に図示のタイプである二つのバンドパスフィルタからなる、シングル誘電体送受切り換え器フィルタの、三次元図、平面図、及び底面図である。図１５６−１５９は、図１４３−１４５の二つのバンドパスフィルタからなる種々のタイプの送受切り換え器構成の平面図である。
【００２５】
図１０７及び１０８も、だ円関数理論を使用した三共振器構成を示している。この三共振器構成の結合構成は、＃１共振器が＃２共振器に結合され、＃３共振器が＃１共振器と＃２共振器との両方に結合されているものである。上述したように、前記三共振器構成を使用するフィルタの入力と出力との間の共振器のうちの少なくとも１つは、フィルタのその他の共振器に対して、所望の周波数の異なる高次高調波を共振し、但し、所望周波数と同じ第１高調波を共振するものでなければならない。図１０６は、フィルタとして図１０７の三共振器構成を使用した場合の典型的な周波数レスポンスを図示している。図１２６は、フィルタを構成するべく、＃１共振器に結合された帯域阻止共振器を備える三共振器構成の三次元図であり、図１２７はその平面図である。これらの図のＩ／Ｏは、入力又は出力のいずれかとして作用することが可能な電気接続を示している。図１２８は、通過帯域の遷移帯域の両側でシャープなカットオフ特性を示す、図１２６−１２７に図示のフィルタの通過帯域周波数レスポンスを図示している。図１２９は、図１２６−１２７に図示のフィルタの出力スプリアス周波数レスポンスを図示している。図１３０は、＃２同軸共振器が反転されている、フィルタを構成するために＃１共振器に結合された帯域阻止共振器を備える三共振器構成を図示している。図１３１は、＃２共振器が反転された向きの半同軸共振器である、図１３０に図示のフィルタを図示している。図１３２は、図１３０のフィルタの出力スプリアス周波数レスポンスを示している。図１２９と１３２とを比較すれば、図１３０のフィルタが図１２６−１２７のフィルタと比較して、改善された出力スプリアス周波数レスポンスを示していることが判る。図１３３−１３５は、＃１共振器に結合された帯域阻止共振器を備える三共振器構成を含むシングルブロックフィルタの三次元図、平面図、及び底面図である。図１３６−１３７及び１３８−１３９は、同軸共振器と半同軸共振器との組み合わせから構成されている、帯域阻止共振器に結合された前記三共振器構成を使用するシングルブロックの別の例である。図１４０−１４２、１４３、１４４及び１４５は、＃２共振器が改善形状を有し、フィルタを形成するために＃１共振器に結合された帯域阻止共振器を備える三共振器構成の例を示している。図１４０−１４２、１４３、１４４及び１４５に図示の＃２共振器の改善形状によって、結合と粉体プレス技術との改善が可能となる。
【００２６】
図１４６−１４８は、図１３３−１３５に図示のタイプである二つのバンドパスフィルタから成る、シングルブロック送受切り換え器フィルタの、三次元図、平面図及び底面図である。図１４９−１５２は、図１３６−１３９の二つのバンドパスフィルタからなるシングルブロック送受切り換え器フィルタの種々のタイプの共振器組み合わせと結合方法との平面図である。図１５３−１５５は、図１４０−１４２に図示のタイプである二つのバンドパスフィルタから成る、シングルブロック送受切り換え器フィルタの、三次元図、平面図及び底面図である。図１５６−１５９は、図１４３−１４５の二つのバンドパスフィルタからなる送受切り換え器構成の種々のタイプの平面図である。
【００２７】
図１６０は、入力／出力が＃４共振器に接続されている、＃１共振器と帯域阻止共振器との間に結合された追加の＃４共振器を含む三共振器構成を備えるフィルタを図示している。図１６１−１６３は、図１６０に図示のタイプのフィルタのある可能な構成を図示している。図１６１は、全部が同軸共振器である、三共振器構成を図示している。図１６２は、＃１共振器及び＃３共振器として同軸共振器を備え、＃２共振器として半同軸共振器を備える三共振器構成を図示している。図１６３は、＃２及び＃３共振器として同軸共振器を備え、＃１共振器として半同軸共振器を備える三共振器構成を図示している。図１６４は、シングルブロックフィルタとして構成された図１６０のフィルタを図示している。図１６５は、入力／出力が＃５共振器に接続され、＃１共振器と帯域阻止共振器との間に結合された追加の＃４共振器と＃５共振器とを含む、三共振器構成を有するフィルタを図示している。図１６６は、送受切り換え器構成として組み合わされた図１６５に図示のタイプの二つのフィルタを図示している。帯域阻止共振器と三共振器構成との間に追加された前記追加の共振器によって、フィルタを通過する信号においてより深い減衰レベルが提供される。これは、図１３２と１６７との比較に図示され、ここで、図１６７は、図１６２のフィルタの出力スプリアス周波数レスポンスを図示している。１つ以上の追加共振器は、フィルタの入力と出力間の他の共振器に対して、異なる高次高調波を共振する共振器の１つとすることができる。
【００２８】
以上、本発明の様々な実施例を詳細に記載したが、当業者においては、本開示内容の全体の教示に鑑みて、これらの実施例に対する様々な改変又は代替を開発することが可能であることが理解されるであろう。従って、これらの特定の構成は、例示的なものにすぎず、その全範囲およびそれらの均等物において与えられる本発明の範囲に対して限定的なものではない。
【図面の簡単な説明】
【図１】
図１は、従来技術による同軸共振器を使用した三極フィルタの概略断面図である。
【図２】
図２は、従来技術による三種類の半同軸共振器の概略断面図である。
【図３】
図３は、同じ共振周波数用に設計された同軸誘電体セラミック共振器と半同軸誘電体セラミック共振器とのプロットである。
【図４】
図４は、本発明によるＩＲＩＳ結合を使用して結合された、同軸及び半同軸共振器を使用した三極フィルタの概略断面図である。
【図５】
図５は、本発明によるＩＲＩＳ結合を使用して結合された、同軸及び半同軸共振器を使用した四極フィルタの概略断面図である。
【図６】
図６は、図４の三極フィルタに、本発明によりスカートレスポンスを改善するべく二つの同軸共振器を追加したものの概略断面図である。
【図７】
図７は、本発明によるアンテナ用の電極結合を使用した送受切り換え器フィルタの概略断面図である。
【図８】
図８は、本発明によるアンテナ用の電極結合を使用した別の送受切り換え器フィルタの概略断面図である。
【図９】
図９は、本発明によるアンテナ用の電極結合を使用した別の送受切り換え器フィルタの概略断面図である。
【図１０】
図１０は、本発明によるアンテナ用の電極結合を使用した別の送受切り換え器フィルタの概略断面図である。
【図１１】
図１１は、本発明によるアンテナ用の電極結合を使用した別の送受切り換え器フィルタの概略断面図である。
【図１２】
図１２は、本発明によるアンテナ用の電極結合を使用した別の送受切り換え器フィルタの概略断面図である。
【図１３】
図１３は、本発明によるフィルタの共振器間に電極結合を使用した送受切り換え器フィルタの概略断面図である。
【図１４】
図１４は、本発明によるフィルタの共振器間に電極結合を使用した送受切り換え器フィルタの概略断面図である。
【図１５】
図１５は、本発明によるフィルタの共振器間に電極結合を使用した別の送受切り換え器フィルタの概略断面図である。
【図１６】
図１６は、本発明によるフィルタの共振器間に電極結合を使用した別の送受切り換え器フィルタの概略断面図である。
【図１７】
図１７は、図１６の概略底面図である。
【図１８】
図１８は、本発明によるフィルタの共振器間に電極結合を使用した別の送受切り換え器フィルタの概略断面図である。
【図１９】
図１９は、図１８の概略底面図である。
【図２０】
図２０は、本発明によるフィルタの上部の共振器間に電極結合を使用した半同軸共振器の概略断面図である。
【図２１】
図２１は、図２０の概略平面図である。
【図２２】
図２２は、本発明によるフィルタの上部の共振器間に電極結合を使用した半同軸共振器の別のフィルタの概略断面図である。
【図２３】
図２３は、図２２の概略平面図である。
【図２４】
図２４は、本発明によるフィルタの上部の共振器間に電極結合を使用した半同軸共振器の別のフィルタの概略断面図である。
【図２５】
図２５は、図２４の概略平面図である。
【図２６】
図２６は、本発明によるフィルタの上部と下部との共振器間に電極結合を使用した半同軸共振器のフィルタの概略断面図である。
【図２７】
図２７は、図２６の概略平面図である。
【図２８】
図２８は、図２６の概略底面図である。
【図２９】
図２９は、図２６の三次元平面図である。
【図３０】
図３０は、図２６の三次元底面図である。
【図３１】
図３１は、本発明によるフィルタの上部と下部との共振器間に電極結合を使用した半同軸共振器のフィルタの概略断面図である。
【図３２】
図３２は、図３１の概略平面図である。
【図３３】
図３３は、図３１の概略底面図である。
【図３４】
図３４は、図３１の三次元平面図である。
【図３５】
図３５は、図３１の三次元底面図である。
【図３６】
図３６は、本発明によるフィルタの上部と下部との共振器間に電極結合を使用した半同軸共振器のフィルタの概略断面図である。
【図３７】
図３７は、図３６の概略平面図である。
【図３８】
図３８は、図３６の概略底面図である。
【図３９】
図３９は、図３６の三次元平面図である。
【図４０】
図４０は、図３６の三次元底面図である。
【図４１】
図４１は、スカートレスポンスを改善するべく端部に同軸共振器を備える半同軸共振器のフィルタの概略平面図であり、本発明によるフィルタの上部と下部との共振器間に電極結合を使用している。
【図４２】
図４２は、図４１の概略底面図である。
【図４３】
図４３は、図４１の三次元平面図である。
【図４４】
図４４は、図４１の三次元底面図である。
【図４５】
図４５は、スカートレスポンスを改善するべく端部に同軸共振器を備える図２７のフィルタの概略平面図であり、本発明によるフィルタの上部と下部との共振器間に電極結合を使用している。
【図４６】
図４６は、図４５の概略底面図である。
【図４７】
図４７は、図４５の三次元平面図である。
【図４８】
図４８は、図４５の三次元底面図である。
【図４９】
図４９は、本発明によるフィルタの上部と下部との共振器間に電極結合を使用した同軸及び半同軸共振器のフィルタの概略断面図である。
【図５０】
図５０は、図４９の概略底面図である。
【図５１】
図５１は、図４９の三次元平面図である。
【図５２】
図５２は、図４９の三次元底面図である。
【図５３】
図５３は、スカートレスポンスを改善するべく端部に同軸共振器を備える同軸及び半同軸共振器のフィルタの概略平面図であり、該フィルタは、本発明によるフィルタの上部と下部との共振器間に電極結合を使用している。
【図５４】
図５４は、図５３の概略底面図である。
【図５５】
図５５は、図５３の三次元平面図である。
【図５６】
図５６は、図５３の三次元底面図である。
【図５７】
図５７は、同軸及び半同軸共振器の送受切り換え器フィルタの概略平面図であり、このフィルタは、本発明によるフィルタの上部と下部との共振器間に電極結合を使用している。
【図５８】
図５８は、図５７の概略底面図である。
【図５９】
図５９は、図５７の三次元平面図である。
【図６０】
図６０は、図５７の三次元底面図である。
【図６１】
図６１は、スカートレスポンスを改善するべく端部に同軸共振器を備える同軸及び半同軸共振器の送受切り換え器フィルタの概略平面図であり、このフィルタは、本発明によるフィルタの上部と下部との共振器間に電極結合を使用している。
【図６２】
図６２は、図６１の概略底面図である。
【図６３】
図６３は、図６１の三次元平面図である。
【図６４】
図６４は、図６１の三次元底面図である。
【図６５】
図６５は、本発明によるベースラインとして使用される三極フィルタの概略断面図である。
【図６６】
図６６は、本発明による図６５のフィルタのフィルタレスポンスのプロットである。
【図６７】
図６７は、本発明による図６５のフィルタのスプリアス周波数レスポンスのプロットである。
【図６８】
図６８は、本発明による図６５に示された同軸共振器＃１の周波数レスポンスのプロットである。
【図６９】
図６９は、本発明による図６５に図示した同軸共振器＃２の周波数レスポンスのプロットである。
【図７０】
図７０は、本発明による図６５に図示した同軸共振器＃３の周波数レスポンスのプロットである。
【図７１】
図７１は、本発明による半同軸共振器の周波数レスポンスのプロットである。
【図７２】
図７２は、図６５に類似の三極フィルタの概略断面図であって、ここで、前記＃２同軸共振器は、本発明による図７１の半同軸共振器で置換されている。
【図７３】
図７３は、本発明による図７２に図示したフィルタの周波数レスポンスのプロットである。
【図７４】
図７４は、図６５に類似の三極フィルタの概略断面図であって、ここで、前記＃２同軸共振器は、本発明により向きが反転されている。
【図７５】
図７５は、図７２に類似の三極フィルタの概略断面図であって、ここで、前記＃２同軸共振器は、本発明により向きが反転されている。
【図７６】
図７６は、本発明による図７４に図示したフィルタの周波数レスポンスのプロットである。
【図７７】
図７７は、本発明による図７５に図示したフィルタの周波数レスポンスのプロットである。
【図７８】
図７８は、本発明によるフィルタにおいて共振器の向きを反転させるために電極結合を使用したフィルタの概略断面図である。
【図７９】
図７９は、図７８の平面図である。
【図８０】
図８０は、図７８の底面図である。
【図８１】
図８１は、図７８の三次元平面図である。
【図８２】
図８２は、図７８の三次元底面図である。
【図８３】
図８３は、本発明によるフィルタにおいて共振器の向きを反転させるために電極結合を使用したフィルタの概略断面図である。
【図８４】
図８４は、図８３の底面図である。
【図８５】
図８５は、図８３の平面図である。
【図８６】
図８６は、図８３の三次元平面図である。
【図８７】
図８７は、図８３の三次元底面図である。
【図８８】
図８８は、スカートレスポンスを改善するべく端部に同軸共振器を備える同軸共振器のフィルタの概略平面図であり、このフィルタは、本発明によるフィルタにおいて共振器の向きを反転させるために電極結合を使用している。
【図８９】
図８９は、図８８の概略底面図である。
【図９０】
図９０は、図８８の三次元平面図である。
【図９１】
図９１は、図８８の三次元底面図である。
【図９２】
図９２は、同軸共振器の送受切り換え器フィルタの概略平面図であって、ここで、該フィルタは、本発明によるフィルタにおける共振器の向きを反転させるために電極結合を使用している。
【図９３】
図９３は、図９２の概略底面図である。
【図９４】
図９４は、図９２の三次元平面図である。
【図９５】
図９５は、図９２の三次元底面図である。
【図９６】
図９６は、典型的なフィルタの周波数レスポンスのプロットである。
【図９７】
図９７は、だ円関数フィルタの概略図である。
【図９８】
図９８ａは、正結合された共振器の概略図であり、図９８ｂは、負結合された共振器の概略図である。
【図９９】
図９９は、本発明によるアドバンスト誘電体フィルタの、概略斜視図、概略平面図、及び概略底面図である。
【図１００】
図１００は、本発明による別のアドバンスト誘電体フィルタの、概略斜視図、概略平面図、及び概略底面図である。
【図１０１】
図１０１は、図９９に図示したフィルタの特性のプロットである。
【図１０２】
図１０２は、本発明によるモノブロックアドバンスト誘電体フィルタの概略斜視図、概略平面図、及び概略底面図である。
【図１０３】
図１０３は、本発明による別のモノブロックアドバンスト誘電体フィルタの概略斜視図、概略平面図、及び概略底面図である。
【図１０４】
図１０４は、アドバンスト誘電体フィルタにおいて弱結合を提供する別の方法の概略図である。
【図１０５】
図１０５は、アドバンスト誘電体フィルタにおいて弱結合を提供する別の方法の概略図である。
【図１０６】
図１０６は、１つの急勾配カットオフ減衰率のみを示す例のプロットである。
【図１０７】
図１０７ａは、本発明による三極アドバンスト誘電体フィルタの概略斜視図であり、図１０７ｂは、図１０７ａの三極アドバンスト誘電体フィルタの前方概略図であり、図１０７ｃは、図１０７ａの三極アドバンスト誘電体フィルタの磁界の概略図である。
【図１０８】
図１０８ａは、本発明による三極アドバンスト誘電体フィルタの概略斜視図であり、図１０８ｂは、図１０８ａの三極アドバンスト誘電体フィルタの前方概略図であり、図１０８ｃは、図１０８ａの三極アドバンスト誘電体フィルタの磁界の概略図である。
【図１０９】
図１０９は、図１０７に図示したタイプのフィルタのフィルタ特性のプロットである。
【図１１０】
図１１０は、図１０７に図示したタイプのフィルタのフィルタ特性の別のプロットである。
【図１１１】
図１１１は、図１０８に図示したタイプのフィルタのフィルタ特性のプロットである。
【図１１２】
図１１２は、図１０８に図示したタイプのフィルタのフィルタ特性の別のプロットである。
【図１１３】
図１１３は、本発明による三極モノブロックアドバンスト誘電体フィルタの概略斜視図及び概略平面図である。
【図１１４】
図１１４は、本発明による別の三極モノブロックアドバンスト誘電体フィルタの概略斜視及び概略平面図である。
【図１１５】
図１１５は、本発明による別の三極モノブロックアドバンスト誘電体フィルタの概略平面図である。
【図１１６】
図１１６は、本発明による別の三極モノブロックアドバンスト誘電体フィルタの概略平面図である。
【図１１７】
図１１７は、本発明による別の三極モノブロックアドバンスト誘電体フィルタの概略平面図である。
【図１１８】
図１１８は、本発明による送受切り換え器フィルタを構成する二つの四極アドバンスト誘電体フィルタの概略斜視図、概略平面図及び概略底面図である。
【図１１９】
図１１９は、本発明による送受切り換え器フィルタを構成する別の二つの四極アドバンスト誘電体フィルタの概略斜視図、概略平面図及び概略底面図である。
【図１２０】
図１２０は、本発明による送受切り換え器フィルタを構成する別の二つの四極アドバンスト誘電体フィルタの概略斜視図、概略平面図及び概略底面図である。
【図１２１】
図１２１は、本発明による送受切り換え器フィルタを構成する別の二つの四極アドバンスト誘電体フィルタの概略斜視図、概略平面図及び概略底面図である。
【図１２２】
図１２２は、本発明による送受切り換え器フィルタを構成する二つの三極アドバンスト誘電体フィルタの概略斜視図、概略平面図及び概略底面図である。
【図１２３】
図１２３は、本発明による送受切り換え器フィルタを構成する別の二つの三極アドバンスト誘電体フィルタの概略斜視図、概略平面図及び概略底面図である。
【図１２４】
図１２４ａは、本発明による送受切り換え器フィルタを構成する別の二つの三極アドバンスト誘電体フィルタの概略斜視図であり、図１２４ｂ−ｅは、本発明による送受切り換え器フィルタを構成する二つの三極アドバンスト誘電体フィルタの異なるバージョンの概略平面図である。
【図１２５】
図１２５ａ−ｅは、アドバンスト誘電体フィルタを使用した送受切り換え器に使用可能な種々のアンテナ、ＴＸ及びＲＸ結合構成の概略図である。
【図１２６】
図１２６は、本発明による帯域阻止共振器を備えた三極アドバンスト誘電体フィルタの概略斜視図である。
【図１２７】
図１２７は、本発明による図１２６の三極アドバンスト誘電体フィルタの概略平面図である。
【図１２８】
図１２８は、本発明による図１２６のフィルタのフィルタレスポンスのプロットである。
【図１２９】
図１２９は、本発明による図１２６のフィルタのスプリアス周波数レスポンスのプロットである。
【図１３０】
図１３０は、本発明による帯域阻止共振器を備えた別の三極アドバンスト誘電体フィルタの概略平面図である。
【図１３１】
図１３１は、本発明による帯域阻止共振器を備えた別の三極アドバンスト誘電体フィルタの概略平面図である。
【図１３２】
図１３２は、本発明による図１３０のフィルタのスプリアス周波数レスポンスのプロットである。
【図１３３】
図１３３は、本発明による帯域阻止共振器を備えたシングルブロック三極アドバンスト誘電体フィルタの概略斜視図である。
【図１３４】
図１３４は、本発明による図１３３の三極アドバンスト誘電体フィルタの概略平面図である。
【図１３５】
図１３５は、本発明による図１３３の三極アドバンスト誘電体フィルタの概略底面図である。
【図１３６】
図１３６は、本発明による別のシングルブロック三極アドバンスト誘電体フィルタの概略平面図である。
【図１３７】
図１３７は、本発明による図１３６の三極アドバンスト誘電体フィルタの概略底面図である。
【図１３８】
図１３８は、本発明による別のシングルブロック三極アドバンスト誘電体フィルタの概略平面図である。
【図１３９】
図１３９は、本発明による図１３８の三極アドバンスト誘電体フィルタの概略底面図である。
【図１４０】
図１４０は、本発明による帯域阻止共振器を備えた別のシングルブロック三極アドバンスト誘電体フィルタの概略斜視図である。
【図１４１】
図１４１は、本発明による図１４０の三極アドバンスト誘電体フィルタの概略平面図である。
【図１４２】
図１４２は、本発明による図１４０の三極アドバンスト誘電体フィルタの概略底面図である。
【図１４３】
図１４３は、本発明による帯域阻止共振器を備えた別のシングルブロック三極アドバンスト誘電体フィルタの概略平面図である。
【図１４４】
図１４４は、本発明による帯域阻止共振器を備えた別のシングルブロック三極アドバンスト誘電体フィルタの概略平面図である。
【図１４５】
図１４５は、本発明による帯域阻止共振器を備えた別のシングルブロック三極アドバンスト誘電体フィルタの概略平面図である。
【図１４６】
図１４６は、それぞれが、本発明による帯域阻止共振器を備えた二つのシングルブロック三極アドバンスト誘電体フィルタを有する送受切り換え器フィルタの概略斜視図である。
【図１４７】
図１４７は、本発明による図１４６の送受切り換え器フィルタの概略平面図である。
【図１４８】
図１４８は、本発明による図１４６の送受切り換え器フィルタの概略底面図である。
【図１４９】
図１４９は、それぞれが、本発明による帯域阻止共振器を備えた二つのシングルブロック三極アドバンスト誘電体フィルタを有する別の送受切り換え器フィルタの概略平面図である。
【図１５０】
図１５０は、それぞれが、本発明による帯域阻止共振器を備えた二つのシングルブロック三極アドバンスト誘電体フィルタを有する別の送受切り換え器フィルタの概略平面図である。
【図１５１】
図１５１は、それぞれが、本発明による帯域阻止共振器を備えた二つのシングルブロック三極アドバンスト誘電体フィルタを有する別の送受切り換え器フィルタの概略平面図である。
【図１５２】
図１５２は、それぞれが、本発明による帯域阻止共振器を備えた二つのシングルブロック三極アドバンスト誘電体フィルタを有する別の送受切り換え器フィルタの概略平面図である。
【図１５３】
図１５３は、それぞれが、本発明による帯域阻止共振器を備えた二つのシングルブロック三極アドバンスト誘電体フィルタを有する別の送受切り換え器フィルタの概略斜視図である。
【図１５４】
図１５４は、本発明による図１５３の送受切り換え器フィルタの概略平面図である。
【図１５５】
図１５５は、本発明による図１５３の送受切り換え器フィルタの概略底面図である。
【図１５６】
図１５６は、それぞれが、本発明による帯域阻止共振器を備えた二つのシングルブロック三極アドバンスト誘電体フィルタを有する別の送受切り換え器フィルタの概略平面図である。
【図１５７】
図１５７は、それぞれが、本発明による帯域阻止共振器を備えた二つのシングルブロック三極アドバンスト誘電体フィルタを有する別の送受切り換え器フィルタの概略平面図である。
【図１５８】
図１５８は、それぞれが、本発明による帯域阻止共振器を備えた二つのシングルブロック三極アドバンスト誘電体フィルタを有する別の送受切り換え器フィルタの概略平面図である。
【図１５９】
図１５９は、それぞれが、本発明による帯域阻止共振器を備えた二つのシングルブロック三極アドバンスト誘電体フィルタを有する別の送受切り換え器フィルタの概略平面図である。
【図１６０】
図１６０は、本発明による、だ円関数理論を使用する三共振器構成と、帯域阻止共振器と、前記三共振器構成と前記帯域阻止共振器との間の追加の共振器とを有する誘電体フィルタの概略平面図である。
【図１６１】
図１６１は、本発明による前記三共振器構成中に三つの同軸共振器が設けられる場合の図１６０の誘電体フィルタの概略平面図である。
【図１６２】
図１６２は、本発明による前記三共振器構成中に二つの同軸共振器と１つの半同軸共振器とが設けられる場合の図１６０の誘電体フィルタの概略平面図である。
【図１６３】
図１６３は、本発明による前記三共振器構成中に二つの同軸共振器と１つの半同軸共振器とが設けられる場合の図１６０の誘電体フィルタの概略平面図である。
【図１６４】
図１６４は、本発明によるシングルブロックとして構成された図１６０の誘電体フィルタの概略平面図である。
【図１６５】
図１６５は、本発明による、だ円関数理論を使用する三共振器構成と、帯域阻止共振器と、前記三共振器構成と前記帯域阻止共振器との間の二つの追加の共振器とを有する誘電体フィルタの概略平面図である。
【図１６６】
図１６６は、本発明による、だ円関数理論を使用する三共振器構成と、帯域阻止共振器と、前記三共振器構成と前記帯域阻止共振器との間の追加の共振器とを有する誘電体フィルタの概略平面図である。
【図１６７】
図１６７は、図１６２に図示したタイプのフィルタの出力スプリアス周波数レスポンスのプロットである。
【図１】
2004519913.tif 000003
【図２】
2004519913.tif 000004
【図３】
2004519913.tif 000005
【図４】
2004519913.tif 000006
【図５】
2004519913.tif 000007
【図６】
2004519913.tif 000008
【図７】
2004519913.tif 000009
【図８】
2004519913.tif 000010
【図９】
2004519913.tif 000011
【図１０】
2004519913.tif 000012
【図１１】
2004519913.tif 000013
【図１２】
2004519913.tif 000014
【図１３】
2004519913.tif 000015
【図１４】
2004519913.tif 000016
【図１５】
2004519913.tif 000017
【図１６】
2004519913.tif 000018
【図１７】
2004519913.tif 000019
【図１８】
2004519913.tif 000020
【図１９】
2004519913.tif 000021
【図２４】
2004519913.tif 000022
【図２５】
2004519913.tif 000023
【図３６】
2004519913.tif 000024
【図３８】
2004519913.tif 000025
【図３９】
2004519913.tif 000026
【図４１】
2004519913.tif 000027
【図４２】
2004519913.tif 000028
【図４３】
2004519913.tif 000029
【図４５】
2004519913.tif 000030
【図５４】
2004519913.tif 000031
【図５８】
2004519913.tif 000032
【図５９】
2004519913.tif 000033
【図６１】
2004519913.tif 000034
【図６２】
2004519913.tif 000035
【図６３】
2004519913.tif 000036
【図６５】
2004519913.tif 000037
【図７２】
2004519913.tif 000038
【図７４】
2004519913.tif 000039
【図７５】
2004519913.tif 000040
【図７８】
2004519913.tif 000041
【図７９】
2004519913.tif 000042
【図８０】
2004519913.tif 000043
【図８３】
2004519913.tif 000044
【図８８】
2004519913.tif 000045
【図８９】
2004519913.tif 000046
【図９２】
2004519913.tif 000047
【図９５】
2004519913.tif 000048
【図９６】
2004519913.tif 000049
【図９７】
2004519913.tif 000050
【図９８】
2004519913.tif 000051
【図９９】
2004519913.tif 000052
【図１００】
2004519913.tif 000053
【図１０２】
2004519913.tif 000054
【図１０３】
2004519913.tif 000055
【図１０４】
2004519913.tif 000056
【図１０５】
2004519913.tif 000057
【図１０６】
2004519913.tif 000058
【図１０７】
2004519913.tif 000059
【図１０８】
2004519913.tif 000060
【図１１４】
2004519913.tif 000061
【図１１５】
2004519913.tif 000062
【図１１６】
2004519913.tif 000063
【図１１７】
2004519913.tif 000064
【図１１８】
2004519913.tif 000065
【図１１９】
2004519913.tif 000066
【図１２０】
2004519913.tif 000067
【図１２１】
2004519913.tif 000068
【図１２２】
2004519913.tif 000069
【図１２３】
2004519913.tif 000070
【図１２４】
2004519913.tif 000071
【図１２５】
2004519913.tif 000072
【図１２６】
2004519913.tif 000073
【図１２７】
2004519913.tif 000074
【図１３０】
2004519913.tif 000075
【図１３１】
2004519913.tif 000076
【図１４６】
2004519913.tif 000077
【図１４７】
2004519913.tif 000078
【図１４９】
2004519913.tif 000079
【図１５０】
2004519913.tif 000080
【図１５１】
2004519913.tif 000081
【図１５２】
2004519913.tif 000082
【図１５３】
2004519913.tif 000083
【図１５４】
2004519913.tif 000084
【図１５６】
2004519913.tif 000085
【図１５７】
2004519913.tif 000086
【図１５８】
2004519913.tif 000087
【図１５９】
2004519913.tif 000088
【図１６６】
2004519913.tif 000089
【国際公開パンフレット】
2004519913.tif 000090
2004519913.tif 000091
2004519913.tif 000092
2004519913.tif 000093
2004519913.tif 000094
2004519913.tif 000095
2004519913.tif 000096
2004519913.tif 000097
2004519913.tif 000098
2004519913.tif 000099
2004519913.tif 000100
2004519913.tif 000101
2004519913.tif 000102
2004519913.tif 000103
2004519913.tif 000104
2004519913.tif 000105
2004519913.tif 000106
2004519913.tif 000107
2004519913.tif 000108
2004519913.tif 000109
2004519913.tif 000110
2004519913.tif 000111
2004519913.tif 000112
2004519913.tif 000113
2004519913.tif 000114
2004519913.tif 000115
2004519913.tif 000116
2004519913.tif 000117
2004519913.tif 000118
2004519913.tif 000119
2004519913.tif 000120
2004519913.tif 000121
2004519913.tif 000122
2004519913.tif 000123
2004519913.tif 000124
2004519913.tif 000125
2004519913.tif 000126
2004519913.tif 000127
2004519913.tif 000128
2004519913.tif 000129
2004519913.tif 000130
2004519913.tif 000131
2004519913.tif 000132
2004519913.tif 000133
2004519913.tif 000134
2004519913.tif 000135
2004519913.tif 000136
2004519913.tif 000137
2004519913.tif 000138
2004519913.tif 000139
2004519913.tif 000140
2004519913.tif 000141
2004519913.tif 000142
2004519913.tif 000143
2004519913.tif 000144
2004519913.tif 000145
2004519913.tif 000146
2004519913.tif 000147
2004519913.tif 000148
2004519913.tif 000149
2004519913.tif 000150
2004519913.tif 000151
2004519913.tif 000152
2004519913.tif 000153
2004519913.tif 000154
2004519913.tif 000155
2004519913.tif 000156
2004519913.tif 000157
2004519913.tif 000158
2004519913.tif 000159
2004519913.tif 000160
2004519913.tif 000161
2004519913.tif 000162
2004519913.tif 000163
2004519913.tif 000164
2004519913.tif 000165
2004519913.tif 000166
2004519913.tif 000167
2004519913.tif 000168
2004519913.tif 000169
2004519913.tif 000170
2004519913.tif 000171
2004519913.tif 000172
2004519913.tif 000173
2004519913.tif 000174
2004519913.tif 000175
2004519913.tif 000176
2004519913.tif 000177
2004519913.tif 000178
2004519913.tif 000179
2004519913.tif 000180
2004519913.tif 000181
2004519913.tif 000182
2004519913.tif 000183
2004519913.tif 000184
2004519913.tif 000185
2004519913.tif 000186
2004519913.tif 000187
2004519913.tif 000188
2004519913.tif 000189
2004519913.tif 000190
2004519913.tif 000191
2004519913.tif 000192
2004519913.tif 000193
2004519913.tif 000194
2004519913.tif 000195
2004519913.tif 000196
【国際公開パンフレット（コレクトバージョン）】
2004519913.tif 000197
【国際調査報告】
2004519913.tif 000198